(57)【要約】【課題】オーディオデータ自体でハイパーリンク機能を持たせることができるようにする。【解決手段】メインコンテンツ１０１に非可聴的な形式でリンク情報１２１，１２２を埋め込む。このリンク情報１２１，１２２は、キーワード１１１，１１２に個別コンテンツ１０２，１０３をリンクする情報である。リンク情報をキーワードに先行して埋め込んでおくことにより、キーワードの再生が開始されたとき、リンク操作が可能になっており、ユーザの操作で個別コンテンツにジャンプすることができる。また、キーワード区間の終了後所定時間（Ｔ５まで）リンク操作を受け付けることにより、キーワードを聴き終えた後でリンク操作をすることも可能になる。【選択図】図２
2010072641.tif 000002
【特許請求の範囲】
【請求項１】
特定のキーワード区間を含み、該キーワード区間に先行して、該キーワード区間に対応する第２コンテンツを指定するリンク情報が音声信号で埋め込まれている第１コンテンツ、および、前記第２コンテンツを音声信号として再生する再生出力部と、
再生出力部によって再生された音声信号から、前記リンク情報をデコードするデコード部と、
利用者によるリンク操作を受け付ける操作部と、
前記キーワード区間の再生時間帯およびキーワード区間の再生終了後の所定時間からなるリンク操作受付期間内に、前記操作部がリンク操作を受け付けたとき、前記再生出力部が再生するコンテンツを前記リンク情報が指定する第２コンテンツに移動させる制御部と、
を備えた音声再生装置。
【請求項２】
前記操作部は、利用者による確認操作をさらに受け付け、
前記制御部は、前記リンク操作受付期間内に、前記操作部が確認操作を受け付けたとき、前記再生出力部の再生位置を前記キーワード区間の直前に移動させる
請求項１に記載の音声再生装置。
【請求項３】
前記再生出力部は、前記キーワード区間を再生するとき、再生の形態を変更する請求項１または請求項２に記載の音声再生装置。
【請求項４】
前記再生出力部は、前記キーワード区間を再生するとき、再生した音声信号とは別の告知音を発生する請求項１乃至請求項３のいずれかに記載の音声再生装置。
【請求項５】
前記再生出力部は、前記第２コンテンツの再生を開始するとき、該第２コンテンツとは別の告知音を発生する請求項１乃至請求項４のいずれかに記載の音声再生装置。
【請求項６】
特定のキーワード区間を含み、該キーワード区間に先行して、該キーワード区間に対応する第２コンテンツを指定するリンク情報が音声信号で埋め込まれている第１コンテンツを音声信号として再生する再生出力部と、
前記リンク情報で指定される第２コンテンツを再生する第２コンテンツ再生部と、
再生出力部によって再生された音声信号から、前記リンク情報をデコードするデコード部と、
利用者によるリンク操作を受け付ける操作部と、
前記キーワード区間の再生時間帯およびキーワード区間の再生終了後の所定時間からなるリンク操作受付期間内に、前記操作部がリンク操作を受け付けたとき、前記リンク情報が指定する第２コンテンツを前記第２コンテンツ再生部に再生させる制御部と、
を備えた音声再生装置。
【請求項７】
前記リンク情報は、前記キーワード区間の終了位置をさらに含んでいる請求項１乃至請求項６のいずれかに記載の音声再生装置。
【請求項８】
前記リンク情報は、前記キーワード区間の開始位置をさらに含んでいる請求項１乃至請求項７のいずれかに記載の音声再生装置。
【請求項９】
前記キーワード区間は、前記リンク情報の終了位置から開始する請求項１乃至請求項８のいずれかに記載の音声再生装置。
【請求項１０】
前記リンク情報は、前記リンク操作受付期間の終了位置をさらに含んでいる請求項１乃至請求項９のいずれかに記載の音声再生装置。
【請求項１１】
前記リンク情報は、第１コンテンツの先頭部分に埋め込まれている請求項１乃至請求項１０のいずれかに記載の音声再生装置。
【発明の詳細な説明】
【技術分野】
【０００１】
この発明は、リンク情報が埋め込まれた音声コンテンツを再生する音声再生装置に関する。
【背景技術】
【０００２】
テキスト中のキーワードにリンク情報を埋め込んだハイパーテキストがインターネット等で実用化されている。ハイパーテキストの代表的なものは、ｈｔｍｌテキストと呼ばれるもので、可視的に表示されるテキスト本体とタグと呼ばれる非可視的なコードとで構成される。ハイパーテキストでは、特定のキーワードに他の参照テキストを関連づけられており、パソコン画面にテキストが表示されているときに、キーワードの表示箇所をクリックすることで、そのキーワードに関連づけられている参照テキストへ表示が切り換えられるものである。また、このハイパーテキストを読み上げる機能を備えた装置も提案されている（特許文献１）。
【０００３】
【特許文献１】特許３４０８３３２号公報
【発明の概要】
【発明が解決しようとする課題】
【０００４】
しかしながら、上記従来のものは、予めハイパーテキストとして編集されたテキストデータを合成音声で読み上げるものであり、オーディオデータの特定の区間をキーワードとしてリンクを構成するものではなかった。すなわち、オーディオデータにリンク情報を埋め込んである訳ではないため、原稿であるハイパーテキストがなければリンク先にジャンプすることは不可能であり、オーディオデータ自体としてハイパーリンク機能を持つものではなかった。
【０００５】
この発明は、オーディオ信号自体でハイパーリンク機能を持たせることができる音声再生装置を提供することを目的とする。
【課題を解決するための手段】
【０００６】
請求項１の発明は、特定のキーワード区間を含み、該キーワード区間に先行して該キーワード区間に対応する第２コンテンツを指定するリンク情報が音声信号で埋め込まれている第１コンテンツ、および、前記第２コンテンツを音声信号として再生する再生出力部と、再生出力部によって再生された音声信号から、前記リンク情報をデコードするデコード部と、利用者によるリンク操作を受け付ける操作部と、前記キーワード区間の再生時間帯およびキーワード区間の再生終了後の所定時間からなるリンク操作受付期間内に、前記操作部がリンク操作を受け付けたとき、前記再生出力部が再生するコンテンツを前記リンク情報が指定する第２コンテンツに移動させる制御部と、を備えたことを特徴とする。
【０００７】
本発明では、可聴音の音声信号である音声コンテンツ中に音声信号でリンク情報が埋め込まれたものを再生する。リンク情報は第１コンテンツのキーワード区間に対応づけられ、このキーワード区間に先行して埋め込まれている。キーワード区間の再生中およびその後の所定時間からなるリンク操作受付期間内に利用者がリンク操作を行ったとき、再生出力部の再生位置を第２コンテンツに移動させる。これにより、ハイパーテキストのようなテキスト情報を必要とせず、音声信号のみで複数のコンテンツ間のリンクを形成することができる。
【０００８】
リンク情報は、非可聴な音声信号で埋め込むことが好ましい。ここで、非可聴な音声信号とは、人間の可聴周波数帯域から外れた周波数の信号、人間の可聴音域であるが気づかないまたは気にならない音からなる信号（たとえば小レベルの背景ノイズや高域の背景ノイズ）、人には聞こえるが内容が理解できない音からなる信号（たとえばチャイム音）、などである。また、情報の埋め込み方式は周波数変調方式、振幅変調方式、直接スペクトラム拡散方式などがある。
【０００９】
なお、第１コンテンツと第２コンテンツは同じファイルの異なる位置の音声信号であってもよく、また、異なるファイルの音声信号であってもよい。また、これらのコンテンツは装置内部に記憶されていてもよく、外部から入力されてもよい。
【００１０】
請求項２の発明は、請求項１の発明において、前記操作部は、利用者による確認操作をさらに受け付け、前記制御部は、前記リンク操作受付期間内に、前記操作部が確認操作を受け付けたとき、前記再生部の再生位置を前記キーワード区間の直前に移動させることを特徴とする。
【００１１】
利用者が、テキストを読んでいるときキーワードを読み直すことは容易である。しかし、音声情報でキーワードを聞き直したい場合に、キーワードの先頭まで巻き戻して再生を再開するという操作は面倒である。そこで、本発明では、リンク操作受付期間内に確認操作（たとえばボタンの押下等の簡略な操作）が行われた場合、キーワード区間の直前から再生をやり直すようにしている。これにより、キーワードの聞き直しが容易になる。
【００１２】
請求項３の発明は、請求項１、２の発明において、前記再生出力部は、前記キーワード区間を再生するとき、再生の形態を変更することを特徴とする。
【００１３】
請求項４の発明は、請求項１〜３の発明において、前記再生出力部は、前記キーワード区間を再生するとき、再生した音声信号とは別の告知音を発生することを特徴とする。
【００１４】
上記請求項３、４の発明により、どこが（どの言葉が）キーワードであるかが分かりやすくなり、利用者によるリンク操作（個別コンテンツへの移動指示）が容易になる。
【００１５】
請求項５の発明は、請求項１〜４の発明において、前記再生出力部は、前記個別コンテンツの再生を開始するとき、該個別コンテンツとは別の告知音を発生することを特徴とする。
【００１６】
上記発明により、再生位置がメインコンテンツから個別コンテンツへ移動することが利用者に分かりやすくなる。
【００１７】
請求項６の発明は、特定のキーワード区間を含み、該キーワード区間に先行して、該キーワード区間に対応する第２コンテンツを指定するリンク情報が音声信号で埋め込まれている第１コンテンツを音声信号として再生する再生出力部と、前記リンク情報で指定される第２コンテンツを再生する第２コンテンツ再生部と、再生出力部によって再生された音声信号から、前記リンク情報をデコードするデコード部と、利用者によるリンク操作を受け付ける操作部と、前記キーワード区間の再生時間帯およびキーワード区間の再生終了後の所定時間からなるリンク操作受付期間内に、前記操作部がリンク操作を受け付けたとき、前記リンク情報が指定する第２コンテンツを前記第２コンテンツ再生部に再生させる制御部と、を備えたことを特徴とする。
【００１８】
上記発明により、第２コンテンツが音声コンテンツ以外のたとえば映像等のコンテンツであった場合でも、第１コンテンツに埋め込まれた音声のリンク情報により、リンク操作に応じてその第２コンテンツを再生することが可能になる。
【００１９】
請求項７の発明は、請求項１〜６の発明において、前記リンク情報は、前記キーワード区間の終了位置をさらに含んでいることを特徴とする。
【００２０】
請求項８の発明は、請求項１〜７の発明において、前記リンク情報は、前記キーワード区間の開始位置をさらに含んでいることを特徴とする。
【００２１】
請求項９の発明は、請求項１〜８の発明において、前記キーワード区間は、前記リンク情報の終了位置から開始することを特徴とする。
【００２２】
請求項１０の発明は、請求項１〜９の発明において、前記リンク情報は、前記リンク操作受付期間の終了位置をさらに含んでいることを特徴とする。
【００２３】
請求項１１の発明は、請求項１〜１０の発明において、前記リンク情報は、メインコンテンツの先頭部分に埋め込まれていることを特徴とする。
【発明の効果】
【００２４】
この発明によれば、音声信号にリンク情報を埋め込み、このリンク情報に基づいて複数のコンテンツ間にリンクを形成することができるため、音声信号のみで音声コンテンツのリンクを形成することができる。
【図面の簡単な説明】
【００２５】
【図１】この発明の実施形態である音声再生装置のブロック図
【図２】同音声再生装置で再生される音声コンテンツの構成例を示す図
【図３】同音声コンテンツの再生位置のジャンプの形態を示す図
【図４】同音声再生装置の動作を示すフローチャート
【図５】同音声再生装置の動作を示すフローチャート
【図６】同音声再生装置の動作を示すフローチャート
【図７】この発明の他の実施形態である再生装置のブロック図
【図８】この発明のさらに他の実施形態である再生装置のブロック図
【図９】この発明のさらに他の実施形態である再生装置のブロック図
【図１０】この発明のさらに他の実施形態である再生装置のブロック図
【図１１】この発明のさらに他の実施形態である再生装置のブロック図
【図１２】この発明が適用された携帯電話のブロック図
【図１３】この発明の実施に好適な変調方式、復調方式を説明する図
【発明を実施するための形態】
【００２６】
図面を参照してこの発明の実施形態である音声再生装置１、および、音声再生装置１で再生される音声コンテンツ１００について説明する。
【００２７】
≪音声コンテンツの説明≫
まず、図２、図３を参照して音声コンテンツ１００について説明する。図２は、音声コンテンツ１００の構成図、図３は同音声コンテンツの再生位置のジャンプの形態を説明する図である。
【００２８】
音声コンテンツ１００は、メインコンテンツ（またはインデックスコンテンツ）１０１と複数の個別コンテンツ１０２、１０３からなる。これらのコンテンツは、１つのオーディオファイルの別々の時間帯に記録して作成してもよく、各コンテンツを別々のオーディオファイルで構成してもよい。メインコンテンツ１０１が本発明の第１コンテンツに対応し、個別コンテンツ１０２，１０３が本発明の第２コンテンツに対応する。
【００２９】
メインコンテンツ１０１は、たとえばニュースのヘッドライン、観光地を概括的に解説するアナウンス等の概論的なコンテンツである。メインコンテンツ１０１は、上記の内容が人間が聴取可能な周波数帯域の音声信号として形成されているコンテンツ本体部１１０、および、非可聴形式のコード信号領域であるリンク情報部１２０からなる。コンテンツ本体部１１０には、特定の語彙であるキーワード１１１、１１２が含まれている。また、リンク情報部１２０には、キーワード１１１、１１２に対応するリンク情報１２１、１２２が埋め込まれている。埋め込みの方式としては、たとえば、音響信号の周波数シフト方式、非可聴周波数帯域のキャリア信号を変調する方式等を適用することができる。
【００３０】
なお、コンテンツ本体部１１０とリンク情報部１２０は、別の音声信号として存在している訳ではなく、１つの音声信号中の複数の信号成分として存在している。そのうち、コンテンツ本体部１１０の成分は聴取者が可聴で認識できる信号成分であり、リンク情報部１２０の成分はデコードすることによりリンク情報１２１、１２２を取り出すことができる信号成分である。コンテンツ本体部１１０とリンク情報部１２０とは、たとえば隣接する周波数帯域に存在する信号成分であってもよく、周波数帯域が互いにオーバーラップして重なり合う信号成分であってもよい。また、リンク情報部１２０がコンテンツ本体部１１０に音声透かし技術等で重畳されていてもよい。
【００３１】
リンク情報１２１は、キーワード１１１の詳細な解説等からなる個別コンテンツにジャンプするための情報であり、キーワード区間情報、リンク操作受付期間終了時刻（Ｔ５）、リンク先情報等からなる。キーワード区間情報は、メインコンテンツ１０１のどの時刻（Ｔ３）からどの時刻（Ｔ４）までの期間にキーワードが存在するかを示す情報である。また、リンク先情報は、キーワード１１１に対応する個別コンテンツ１０２の位置を示す情報である。個別コンテンツ１０２がメインコンテンツ１０１と同じファイルに記録されている場合には、リンク先情報としては、個別コンテンツ１０２の開始時刻（Ｔ６）を表す情報が記録される。また、個別コンテンツ１０２がメインコンテンツ１０１と異なるファイルに記録されている場合には、リンク先情報としてそのファイル名が記録される。
【００３２】
ユーザによるリンク操作は、キーワード１１１の再生開始時刻（Ｔ３）からキーワードの再生が終了した（Ｔ４）のち、一定時間後のリンク操作受付期間終了時刻（Ｔ５）まで受け付ける。キーワード１１１を聴き終えたのちにその個別コンテンツを聴くか否かを決定するユーザも居るからである。このリンク操作受付期間（Ｔ３〜Ｔ５）内にリンク操作（たとえばリンクボタンの押下）がされると、音声再生装置１は、再生位置を個別コンテンツ１０２の先頭（Ｔ６）にジャンプさせる（図３の(2)参照)。また、リンク操作受付期間内に確認操作（たとえば確認ボタンの押下）がされると、音声再生装置１は、再生位置をキーワード区間の直前のリスタート位置（Ｔ２）にジャンプさせ、もう一度キーワード１１１を再生する（図３の(3)参照)。このキーワード１１１の繰り返しの再生中にリンク操作がされた場合も音声再生装置１は、再生位置を個別コンテンツ１０２の先頭（Ｔ６）にジャンプさせる（図３の(4)参照)。
【００３３】
なお、図３に示すように、個別コンテンツ１０２の再生をスタートさせる前（Ｔ６の前）に、これから個別コンテンツを再生する旨のガイド音声を再生してもよい。ガイド音声としては、その旨のアナウンスやビープ音等を適用することができる。
【００３４】
なお、リスタート位置（Ｔ２）はキーワード区間の開始時刻（Ｔ３）の所定時間前として算出すればよいが、リンク情報にリスタート位置（Ｔ２）を記録しておいてもよい。また、リンク情報にリンク操作受付期間の終了時刻（Ｔ５）を記録しなくてもよい。その場合、リンク操作受付期間の終了時刻（Ｔ５）はキーワード区間の終了時刻（Ｔ４）の所定時間後として算出すればよい。
【００３５】
以上は、キーワード１１１、リンク情報１２１および個別コンテンツ１０２について説明したが、キーワード１１２、リンク情報１２２および個別コンテンツ１０３も同様である。また、１つのメインコンテンツ１０１に含まれるキーワードの数は２つに限定されない。１つでもよく、より多数であってもよい。
【００３６】
また、図２では各キーワードに対応するリンク情報をそのキーワードの直前に埋め込んでいるが、キーワードの再生が開始されたときリンク操作が可能になっているようにするためには、対応するキーワードより前にリンク情報を埋め込んでおけばよく、埋め込みの位置は上記に限定されない。全てのキーワードに対応するリンク情報をメインコンテンツ１０１の先頭部分に埋め込んでもよい。この場合、複数のリンク情報が含まれるメインコンテンツを再生するときには、このリンク情報の数のリンク情報記憶エリアを制御部１０に設ける。また、各リンク情報には、対応するキーワード区間の開始位置（Ｔ３）を記憶しておき、そのリンク情報がどのキーワードに対応するものかを識別できるようにしておく。
【００３７】
≪音声再生装置の説明≫
図１は、この発明の実施形態である音声再生装置のブロック図である。図２で説明した音声コンテンツ１００は、記憶部１１に記憶されている。記憶部１１は、ハードディスク、フラッシュメモリ等の半導体メモリで構成されている。記憶部１１に記憶されている音声コンテンツ１００は、制御部１０の制御により、音声再生部１２によって読み出され、オーディオデータストリームとして音声出力部１４および重畳データデコード部１３に入力される。音声出力部１４は入力されたオーディオデータストリームをアナログの音声信号に変換（Ｄ／Ａ変換）し、スピーカやイヤホンを介して音響として放音する。重畳データデコード部１３は、入力されたオーディオデータストリームからリンク情報部１２０の成分を取り出し、その帯域に埋め込まれているリンク情報をデコードする。デコードされたデータは制御部１０に入力される。
【００３８】
制御部１０は、重畳データデコード部１３からデコードされたデータを入力するとともに、ユーザインタフェース部１５からユーザの操作情報を入力する。ユーザインタフェース部１５には、ＳＴＡＲＴボタン、ＳＴＯＰボタン、ＪＵＭＰボタン、ＲＥＰＥＡＴボタンが設けられている。ＳＴＡＲＴボタンは、音声コンテンツ１００の再生をスタートさせるためのボタンスイッチである。このボタンが押下されると、制御部１０は、メインコンテンツ１０１を先頭から再生スタートさせる。ＳＴＯＰボタンは、音声コンテンツ１００の再生を停止させるためのボタンスイッチである。このボタンが押下されると、制御部１０は、メインコンテンツの再生中はメインコンテンツの再生を停止して再生動作を終了させる。また、個別コンテンツの再生中にＳＴＯＰボタンが押下されると、制御部１０は、その個別コンテンツの再生を停止してメインコンテンツの再生を再開する。ＪＵＭＰボタン（選択ボタン）は、キーワードに対応する個別コンテンツに再生をジャンプさせるためのボタンスイッチである。リンク操作受付期間中にこのボタンが押下されると、制御部１０は、再生位置を対応する個別コンテンツの先頭にジャンプさせる。また、ＲＥＰＥＡＴボタン（確認ボタン）は、キーワードをもう一度聞き直すためのボタンスイッチである。リンク操作受付期間中にこのボタンが押下されると、制御部１０は、再生位置をキーワードの直前のリスタート位置にジャンプさせる。
【００３９】
なお、制御部１０はマイクロコンピュータ等で構成すればよく、重畳データデコード部１３はＤＳＰ等で構成すればよい。音声再生部１２および音声出力部１４が本発明の再生出力部に対応する。また重畳データデコード部１３が本発明のデコード部に対応する。
なお、上記実施形態おいて、各機能部は、その一部または全部の機能を制御部１０とプログラムを用いてソフトウェア的に実現してもよい。
【００４０】
≪音声再生装置の動作の説明≫
図４〜図６を参照して音声再生装置１の動作について説明する。
図４は制御部１０のメイン処理を示すフローチャートである。この動作はＳＴＡＲＴボタンがオンされたときに実行される動作である。ＳＴＡＲＴボタンがオンされると、記憶部１１からメインコンテンツ１０１を読み出し（Ｓ１）、先頭から再生するよう音声再生部１２に指示する（Ｓ２）。こののち、重畳データデコード部１３からデコードされたデータが入力されるか（Ｓ３）、ユーザによる操作入力があるか（Ｓ４）またはメインコンテンツが終了する（Ｓ５）まで待機ルーチン（Ｓ３、Ｓ４、Ｓ５４）で待機する。
【００４１】
重畳データデコード部１３からデコードされたデータ（リンク情報）が入力されると（Ｓ３でＹＥＳ）、このデータに含まれるリンク先情報、キーワード区間情報（Ｔ３，Ｔ４）を所定のメモリエリアに記憶するとともに（Ｓ６，Ｓ７）、キーワード区間情報に基づきリンク操作受付期間（Ｔ３−Ｔ５）を算出して記憶する（Ｓ８）。
【００４２】
ここで、図５のフローチャートを参照して制御部１０の期間制御処理を説明する。キーワード区間（Ｔ３，Ｔ４）、リンク操作受付期間（Ｔ３，Ｔ５）が記憶されると定期的にこの処理が実行される。まず待機ルーチン（Ｓ３０〜Ｓ３２）で、キーワード区間がスタートしたか（Ｔ３を経過したか：Ｓ３０）、キーワード区間が終了したか（Ｔ４を経過したか：Ｓ３１）またはリンク操作受付期間が終了したか（Ｔ５を経過したか：Ｓ３２）を判定する。
【００４３】
キーワード区間がスタートした場合（Ｓ３０でＹＥＳ）には、この語彙がキーワードである旨をユーザに伝え且つキーワードが目立つように再生音質を変更するよう音声再生部１２および／または音声出力部１４に指示をする（Ｓ３３）。音質の変更はたとえば、音程を高くする／低くする、音量を大きくする、高音域／低音域を強調する、フォルマントを変更する、再生速度を遅くする／速くする等である。このとき同時にビープ音等のアラートを鳴動させてユーザにキーワードのスタートを告知するようにしてもよい。同時にリンク操作受付期間である旨を示す受付フラグをセットする（Ｓ３４）。
【００４４】
キーワード区間が終了した場合（Ｓ３１でＹＥＳ）には、Ｓ３３で行った音質の変更を元に戻して通常の音質での再生を再開するよう音声再生部１２および／または音声出力部１４に指示をする（Ｓ３５）。また、リンク操作受付期間が終了した場合（Ｓ３２でＹＥＳ）には、受付フラグをリセットする（Ｓ３６）。
【００４５】
図４において、ユーザインタフェース部１５からボタンスイッチの操作情報が入力された場合（Ｓ４でＹＥＳ）には、操作されたボタンスイッチがＪＵＭＰボタン、ＲＥＰＥＡＴボタン、ＳＴＯＰボタンのいずれであるかを判断する（Ｓ１０〜Ｓ１２）。
【００４６】
個別コンテンツへのジャンプを指示するＪＵＭＰボタンが操作された場合には（Ｓ１０でＹＥＳ）、現在リンク操作受付期間中であるかすなわち受付フラグがセットしているかを判断する（Ｓ１３）。リンク操作受付期間中である場合（Ｓ１３でＹＥＳ）にはリンク先情報を読み出し（Ｓ１４）、受付フラグをリセットして（Ｓ１５）、個別コンテンツ再生処理（図６参照）を実行する（Ｓ１６）。一方、現在リンク操作受付期間でない場合には（Ｓ１３でＮＯ）ＪＵＭＰボタンの操作を無視して待機ルーチン（Ｓ３〜Ｓ５）にもどる。
【００４７】
キーワードの聞き直しを指示するＲＥＰＥＡＴボタンが操作された場合には（Ｓ１１でＹＥＳ）、現在リンク操作受付期間中であるかすなわち受付フラグがセットしているかを判断する（Ｓ１７）。リンク操作受付期間中である場合には（Ｓ１７でＹＥＳ）、キーワード区間のスタート位置の時刻情報（Ｔ３）を読み出し（Ｓ１８）、このＴ３の所定時間前のリスタート位置（Ｔ２）に再生位置をジャンプさせるように音声再生部１２に指示する（Ｓ１９）。一方、現在リンク操作受付期間でない場合には（Ｓ１７でＮＯ）ＲＥＰＥＡＴボタンの操作を無視して待機ルーチン（Ｓ３〜Ｓ５）にもどる。
【００４８】
再生の終了を指示するＳＴＯＰボタンが操作された場合（Ｓ１２でＹＥＳ）には、再生を停止して（Ｓ２０）再生動作を終了する。
【００４９】
一方、メインコンテンツが終了した場合には（Ｓ５でＹＥＳ）、Ｓ２にもどってメインコンテンツを再び先頭から再生する。メインコンテンツ１０１を繰り返し再生するのは、メインコンテンツが目次（インデックス）の役割を持っている場合には、ユーザが再生を停止するまで継続的に再生したほうが目次の機能を発揮できるからである。なお、メインコンテンツが終了した場合に、Ｓ２０へジャンプして再生を停止して再生動作を終了させるようにしてもよい。
【００５０】
図６は、個別コンテンツ再生動作を示すフローチャートである。まずメインコンテンツから個別コンテンツにジャンプするため、リンク先情報に基づいて個別コンテンツのスタート位置（Ｔ６）読出位置または読み出しファイルを変更する（Ｓ４０）。次に今から個別コンテンツを再生する旨をユーザに知らせるためのガイド音声を再生する（Ｓ４１）。このガイド音声としてビープ音を発生させてもよく、ガイド音声とビープ音を併用してもよい。こののち個別コンテンツの再生をスタートさせる（Ｓ４２）。
【００５１】
個別コンテンツの再生が終了するか（Ｓ４３）、個別コンテンツの再生中にＳＴＯＰボタンが押下される（Ｓ４４）まで待機する。個別コンテンツの再生が終了したとき（Ｓ４３でＹＥＳ）、または、ＳＴＯＰボタンが押下されたとき（Ｓ４４でＹＥＳ）、再生するコンテンツを個別コンテンツからメインコンテンツに復帰させる。メインコンテンツ上の復帰位置は、メインコンテンツの先頭、この個別コンテンツに移動するためのＪＵＭＰボタンが押下されたとき再生していた位置、この個別コンテンツに対応するキーワードの終了位置などどの位置であってもよい。
【００５２】
≪変形例≫
以上、説明した実施形態では、メインコンテンツ（第１コンテンツ）、個別コンテンツ（第２コンテンツ）がともに音声コンテンツである例を示した。個別コンテンツは、オーディオファイルからなる音声コンテンツに限定されない。個別コンテンツとしてオーディオファイルの音声以外のコンテンツを再生する再生装置の実施形態を以下に説明する。
なお、以下の実施形態おいて、各機能部は、その一部または全部の機能を制御部１０とプログラムを用いてソフトウェア的に実現してもよい。
【００５３】
図７は、個別コンテンツとして映像を再生する再生装置の例を示す図である。図７に示す再生装置において、図１に示した音声再生装置と同一構成の部分は同一番号を付して説明を省略する。図７の再生装置は、図１の音声再生装置に加えて映像再生部１６、表示部２７、映像記憶部１７を備えている。映像記憶部１７は、個別コンテンツである映像ファイルを記憶している。映像再生部１６は、映像記憶部１７に記憶されている映像ファイルを再生し、表示部２７に表示させる。映像ファイルは、静止画のファイルであっても動画のファイルであってもよい。音声記憶部（図１の記憶部）１１に記憶されているメインコンテンツ１０１のリンク情報１２１、１２２（図２参照）は、映像記憶部１７に記憶されている映像ファイルを指定する情報である。リンク情報１２１、１２２としては、映像ファイルのファイル名、ディレクトリ等を用いることができる。
【００５４】
メインコンテンツ１０１は、第１の実施形態と同様に音声コンテンツである。制御部１０は、音声再生部１２によってメインコンテンツ１０１を再生する。キーワード１１１の再生開始時刻Ｔ３からリンク操作受付期間終了時刻Ｔ５の間にユーザによるリンク操作が行われると、制御部１０は、キーワード１１１に対応づけられているリンク情報によって指定される個別コンテンツである映像ファイルを再生するよう映像再生部１６に指示する。映像再生部１６は指示された映像ファイルを映像記憶部１７から読み出して再生・出力する。以上の処理により、音声コンテンツであるメインコンテンツのキーワードに映像ファイルをリンクさせ、ユーザのリンク操作に応じて映像を再生することが可能になる。
【００５５】
以上の処理において、個別コンテンツである映像を再生しているとき、メインコンテンツである音声を並行して再生してもよく、個別コンテンツを再生している間はメインコンテンツの再生を一時停止させてもよい。
【００５６】
図８は、図７に示した再生装置の更なる変形例を示す図である。図７の再生装置は、映像記憶部１７に記憶している映像ファイルを個別コンテンツとして再生する構成であった。図８に示す再生装置は、リンク操作があったとき、外部装置（サーバ装置１９）から映像を取得して個別コンテンツとして再生する装置である。ここでは外部装置をサーバ装置１９と呼ぶが、映像を供給する装置は専用のサーバ装置である必要はない。図８に示す再生装置において、図７に示した再生装置と同一構成の部分は同一番号を付して説明を省略する。
【００５７】
図８の再生装置は、映像記憶部１７に代えて映像取得部１８を備えている。映像取得部１８は通信機能を備え、サーバ装置１９から映像を取得する機能部である。サーバ装置１９からの映像の取得は、映像ファイルをダウンロードする形態で行ってもよく、ストリーミングの形態で行ってもよい。映像取得部１８とサーバ装置１９との間の通信は、インターネット等のネットワーク、電話回線等の１対１通信などどのような形態のものでもよい。
【００５８】
メインコンテンツ１０１のリンク情報１２１、１２２としては、サーバ装置１９の映像を指定するものであればどのようなものであってもよい。たとえば、映像ファイルの所在を示すＵＲＬ、電話番号とファイル名等を用いることができる。また、リンク情報としてコンテンツＩＤを埋め込み、ＩＤ解決サーバ経由でＵＲＬを取得するようにしてもよい。
【００５９】
音声記憶部１１に記憶されているメインコンテンツ１０１は、第１の実施形態と同様に音声コンテンツである。制御部１０は、音声再生部１２によってメインコンテンツ１０１を再生する。キーワード１１１の再生開始時刻Ｔ３からリンク操作受付期間終了時刻Ｔ５の間にユーザによるリンク操作が行われると、制御部１０は、キーワード１１１に対応づけられている個別コンテンツである映像を再生するよう映像取得部１８に指示する。映像取得部１８は、リンク情報に基づいてサーバ装置１９にアクセスし、指定された映像を取得して映像再生部１６に再生させる。以上の処理により、音声コンテンツであるメインコンテンツのキーワードにサーバ装置１９の映像をリンクさせ、ユーザのリンク操作に応じてその映像を取得して再生することが可能になる。
【００６０】
以上の処理において、個別コンテンツである映像を再生しているとき、メインコンテンツである音声を並行して再生してもよく、個別コンテンツを再生している間はメインコンテンツの再生を一時停止させてもよい。
【００６１】
図９は、図８に示した再生装置の更なる変形例を示す図である。図９の再生装置は、外部装置から取得したコンテンツを再生する機能部としてＷｅｂブラウザ２０を備えている。図９に示す再生装置において、図８に示した再生装置と同一構成の部分は同一番号を付して説明を省略する。
【００６２】
Ｗｅｂブラウザ２０は、Ｗｅｂページを表示する機能部であり、インターネット２２を介してＷｅｂサーバ２１と通信し各種ページを表示する。Ｗｅｂブラウザ２０はＨＴＭＬ形式のページを表示する機能を有しているほか、画像ファイルや音楽ファイルなどをダウンロードして再生する機能を有している。また、入力フォームを表示して、入力されたデータをサーバに送信したり、Ｊａｖａ(登録商標)、Ｆｌａｓｈ等の言語で記述されたゲームソフト、アニメーション等を再生する機能を有している。したがって、この再生装置では、Ｗｅｂブラウザ２０が再生可能なあらゆるコンテンツを個別コンテンツとして再生することが可能である。
【００６３】
メインコンテンツ１０１のリンク情報１２１、１２２として、Ｗｅｂサーバ上のＨＴＭＬページやファイルを指定するＵＲＬが音声信号で記述される。制御部１０は、音声再生部１２によってメインコンテンツ１０１を再生する。キーワード１１１の再生開始時刻Ｔ３からリンク操作受付期間終了時刻Ｔ５の間にユーザによるリンク操作が行われると、制御部１０は、キーワード１１１に対応づけられているリンク情報１２１であるＵＲＬをブラウザ２０に渡す。ブラウザ２０はこのＵＲＬにアクセスして指定されたＷｅｂページやファイルをダウンロードして再生する。以上の処理により、音声コンテンツであるメインコンテンツのキーワードにインターネット上のＵＲＬをリンクさせ、ユーザのリンク操作に応じてそのＵＲＬで指定されるＷｅｂページなどのコンテンツを再生することが可能になる。
【００６４】
以上の処理において、個別コンテンツである映像を再生しているとき、メインコンテンツである音声を並行して再生してもよく、個別コンテンツを再生している間はメインコンテンツの再生を一時停止させてもよい。
【００６５】
図１０は、図７に示した再生装置の更なる変形例を示す。図７の再生装置では、映像記憶部１７に記憶している映像ファイルを個別コンテンツとして再生する構成であった。図１０に示す再生装置は、チューナ２５を備え、リンク操作があったとき、そのリンク操作で指定される放送を受信して再生する装置である。図１０に示す再生装置において、図７に示した再生装置と同一構成の部分は同一番号を付して説明を省略する。
【００６６】
図１０の再生装置は、映像再生部１６、映像記憶部１７に代えてチューナ２５を備えている。なお、チューナ２５は、テレビ放送のチューナに限定されず、ラジオ放送のチューナであってもよい。また、チューナ２５は、電波放送を受信して再生するものであってもよく、インターネット放送を受信して再生するものであってもよい。
【００６７】
メインコンテンツ１０１のリンク情報１２１、１２２としては、放送の周波数、チャンネル番号、放送局名等、放送を識別する情報が音声信号で記述されている。インターネット放送の場合には、その放送のＵＲＬが記述されている。
【００６８】
音声記憶部１１に記憶されているメインコンテンツ１０１は、第１の実施形態と同様に音声コンテンツである。制御部１０は、音声再生部１２によってメインコンテンツ１０１を再生する。キーワード１１１の再生開始時刻Ｔ３からリンク操作受付期間終了時刻Ｔ５の間にユーザによるリンク操作が行われると、制御部１０は、キーワード１１１に対応づけられているリンク情報１２１である放送局の識別情報をチューナ２５に入力する。チューナ２５は、その識別情報で識別される放送を受信して再生する。以上の処理により、音声コンテンツであるメインコンテンツのキーワードに放送の識別情報をリンクさせ、ユーザのリンク操作に応じてその識別情報で指定される放送をチューナ２５で受信して再生することが可能になる。
【００６９】
以上の処理において、個別コンテンツである映像を再生しているとき、メインコンテンツである音声を並行して再生してもよく、個別コンテンツを再生している間はメインコンテンツの再生を一時停止させてもよい。
【００７０】
図１１は、メインコンテンツのリンク情報によって電子メールを送信する機能を備えた再生装置を示す図である。図１１の再生装置において、図９に示した再生装置と同一構成の部分は同一番号を付して説明を省略する。
【００７１】
図１１の再生装置は、電子メールを送信する機能部としてメーラ２３を備えている。メーラ２３は、入力されたメールアドレス宛にインターネット２２を介して電子メールを送信する機能部である。
【００７２】
メインコンテンツ１０１にはリンク情報１２１、１２２として、メーラ２３を起動してメールを送信するための制御情報が音声信号で記述される。ＨＴＭＬ言語のｍａｉｌｔｏタグはハイパーリンク情報の一種である。ｍａｉｌｔｏタグでは、メーラ２３を起動して宛先アドレスをセットするほか、表題、Ｃｃアドレス、本文などを自動入力することができる。メインコンテンツ１０１のリンク情報１２１、１２２としては、上記ｍａｉｌｔｏタグなどのメーラ２３の制御情報が音声信号で記述されている。
【００７３】
制御部１０は、音声再生部１２によってメインコンテンツ１０１を再生する。キーワード１１１の再生開始時刻Ｔ３からリンク操作受付期間終了時刻Ｔ５の間にユーザによるリンク操作が行われると、制御部１０は、キーワード１１１に対応づけられている制御情報を用いてメーラ２３を起動し、宛先欄を含む欄に所定の文字列を入力する。ユーザはメーラ２３で自動作成されたメールを確認したのち、送信ボタンをオンすればメールがインターネット２２、メールサーバ２４を介して所定の宛先に送信される。以上の処理により、音声コンテンツであるメインコンテンツのキーワードにメーラ２３の制御情報をリンクさせ、ユーザのリンク操作に応じてその制御情報に基づいてメーラ２３にメールを自動生成させることが可能になる。この機能は、たとえばメールを使った会員登録や懸賞の応募などに適用することができる。
【００７４】
なお、上記実施形態の再生装置として携帯電話を用いることができる。携帯電話は通話機能に加えて、チューナ機能、メール送受信機能（メーラ）、インターネット閲覧機能（ブラウザ）等を内蔵しており、上に説明した複数のハイパーリンクを複合して実現することが可能である。図１２は携帯電話の構成を示すブロック図である。この図において、上記図１〜図１１に示した部分は同一番号を付して説明省略する。携帯電話は、音声通話を行うため音声入力部２６を備えている。また、ブラウザ２０、メーラ２３はソフトウェア的に実現されており、Ｗｅｂページやメールの表示機能を担うハードウェアとして表示部２７を備えている。また、携帯電話網３０と通信するための通信制御部２８を備えている。
【００７５】
このような携帯電話を用いれば、メインコンテンツ１０１のリンク情報１２１、１２２として電話番号を記述しておくことにより、ユーザのリンク操作に応じて所定の相手先に電話を掛けることが可能になる。
【００７６】
すなわち、制御部１０は、音声再生部１２によってメインコンテンツ１０１を再生する。キーワード１１１の再生開始時刻Ｔ３からリンク操作受付期間終了時刻Ｔ５の間にユーザによるリンク操作が行われると、制御部１０は、キーワード１１１に対応づけられているリンク情報である電話番号を用いて発呼し、その電話番号に電話をかける。以上の処理により、音声コンテンツであるメインコンテンツのキーワードに電話番号をリンクさせ、ユーザのリンク操作に応じてその電話番号に自動発呼させることが可能になる。この機能は、たとえば電話を用いた通信販売などに適用することができる。
【００７７】
以上の実施形態では、第１コンテンツ（メインコンテンツ）に記述されたリンク情報に応じて第２コンテンツ（個別コンテンツ）を再生する。再生装置（音声再生装置）について説明した。すなわち、第１コンテンツに、リンク情報として第２コンテンツの所在位置を示すハイパーリンク情報を音声信号で記述したものを説明した。さらに、リンク情報として、ハイパーリンク情報以外に、何らかのプログラムを起動させるランチャ情報を用いることも可能である。なお、図１１の実施形態において、ｍａｉｌｔｏはハイパーリンク情報であるが、メーラを起動し、メールのアドレス欄や本文等に所定の文字を入力することができるため、ランチャー情報の一種と考えることもできる
【００７８】
リング情報で起動されるプログラムとしては、たとえば、ユーザの操作・入力を要求し、その操作結果や入力内容をサーバに送信するようなプログラムである。たとえば、ＹｏｕＴｕｂｅなどのＣＧＭ（コンシューマー・ジェネレイテッド・メディア）サイトに動画映像をアップロードする手順をユーザにガイドして、操作を簡略化するウィザードを表示するプログラム、アンケートフォームやテスト用紙を表示してユーザの入力を要求し、その入力内容をサーバに送信するプログラムなどをメインコンテンツ１０１のキーワード１１１，１１２に応じて起動することができる。
【００７９】
≪変調方式について≫
上述したように、メインコンテンツ１０１にリンク情報１２１、１２２を重畳する方式に制限はないが、以下、重畳方式および復調方式の好適な一例である差動符号化スペクトラム拡散変調、復調方式について説明する。
【００８０】
図１３（Ａ）は、差動スペクトラム拡散変調により、メインコンテンツ１０１のコンテンツ本体部１１０に、リンク情報１２１、１２２で変調されたデータ情報部１２０を重畳する変調部の構成例を示す図である。拡散符号発生部４０は拡散符号を発生する。拡散符号としては、Ｍ系列等の一定の巡回周期を持つ擬似乱数符号列が用いられる。この拡散符号は乗算器４１に入力される。また、リンク情報１２１、１２２もコンテンツ本体部１１０と同期したタイミングに乗算器４１に入力される。この情報符号は、１シンボル周期が拡散符号の１巡回周期と一致するように周期が調整されている。
【００８１】
乗算器４１は、リンク情報と拡散符号とを乗算する。一般的にスペクトラム拡散変調と呼ばれる処理である。このスペクトラム拡散変調により、情報符号の値（１／０）によって拡散符号が巡回周期毎に位相変調されるとともに、情報符号の周波数スペクトルが拡散される。
【００８２】
情報符号で変調された拡散符号は、差動符号化部４２によって差動符号に変換される。差動符号化部４２が行う差動符号化処理は、拡散符号の各チップの値をその絶対値から前チップからの変化を表す値に置き換える処理である。この差動符号化により、受信側の復調部において、送信側に正確に同期したクロックが無くても、遅延検波を用いて高精度にシンボルを復調することができる。
【００８３】
図１３（Ｂ）は差動符号化部４２の例を示す図である。差動符号化部４２は、拡散符号が入力されるＸＯＲ回路４８と、ＸＯＲ回路４８の出力を１チップ遅延してＸＯＲ回路４８の他方の入力端子に戻す１チップ遅延回路４７で構成されている。ＸＯＲ回路４８の出力を１チップ遅延してフィードバックすることにより、ＸＯＲ回路４８は、入力された拡散符号とＸＯＲ回路４８の１クロック前の出力（直前のチップ）との比較結果を差動符号として出力する。すなわち、ＸＯＲ回路４８は、拡散符号の各チップの絶対値が、直前の差動符号のチップとの位相変化の有無を表す差動符号に置き換えて出力する。これが差動符号化である。
【００８４】
差動符号は、アップサンプリング部４３に入力される。アップサンプリング部４３は、入力された符号列をアップサンプリングする。すなわち、１チップを複数（Ｎ）個のチップに分割する。拡散符号発生部４３が発生した拡散符号のチップレートとこのアップサンプリング部４３におけるアップサンプリング率Ｎにより、送信（放音）される拡散符号のチップレートおよび帯域幅が決定される。
【００８５】
アップサンプリングされた差動符号は、乗算器４５においてキャリア（搬送波）信号４４と乗算され、高域へ周波数シフトされる。キャリア信号により高音域へシフトされたアップサンプリング差動符号は、リンク情報部１２０の信号として加算器４６でコンテンツ本体部１１０と加算合成される。この加算合成された信号がメインコンテンツ１０１として出力される。
【００８６】
図１３（Ｃ）は、再生装置の重畳データデコード部１３の構成例を示す図である。重畳データデコード部１３には、メインコンテンツ１０１のリンク情報部１２０の信号が入力される。入力されたリンク情報部１２０の信号は、遅延検波器５１に入力される。遅延検波器５１は、遅延器５２および乗算器５３を有している。遅延器５２の遅延時間は、拡散符号の１シンボル分、すなわち送信側においてＮ倍にアップサンプリングされている場合には、受信した変調信号のＮチップ（Ｎサンプル）分である。乗算器５３は、１チップ分のサンプルと、遅延器５２が（Ｎチップ遅延した）１チップ分のサンプルとを乗算する。この処理が上述した遅延検波処理である。この遅延検波処理によって、差動符号化された拡散符号が元の（アップサンプリングされた）拡散符号に復元される。
【００８７】
乗算器５３の乗算出力は、ＬＰＦ５４に入力される。ＬＰＦ５４は、キャリア成分をフィルタリングしてベースバンド信号を抽出するとともに、余計な雑音をフィルタリングしてＳＮ比を向上させるためのフィルタである。
【００８８】
ＬＰＦ５４の出力は、整合フィルタ５５へ入力される。整合フィルタ５５は、送信側でデータ符号の拡散に使用した拡散符号を係数に持つＦＩＲフィルタで構成される。係数に使用する拡散符号のチップレートは、送信側におけるアップサンプリング後のチップレートと同じである。すなわち、同じ拡散符号の同じ符号が、整合フィルタ５５において、アップサンプリング率Ｎ回繰り返すことになる。
【００８９】
整合フィルタ５５は、ＬＰＦ５４の出力波形と拡散符号との畳み込み演算を実行し、ＬＰＦ５４の出力波形と拡散符号との相関値を出力する。コンテンツ本体部１１０の回り込み信号や雑音は、拡散符号とは相関が低いため、整合フィルタが出力する相関値に大きな影響を与えない。よって、拡散処理により、外乱に強い伝送が可能となる。
【００９０】
相関値は、拡散符号の周期で強い相関ピーク示し、そのピークの位相は、送信シンボルによって位相変調されているため、送信シンボルの１、−１に対応して、正のピーク、負のピークが現れる。整合フィルタ５５の出力は、ピーク検出部５６へ入力される。ピーク検出部５６は、拡散符号の周期付近の大きなピークを検出し、相関ピークとする。検出された相関ピークは、符号判定部５７へ入力される。符号判定部５７は、ピーク位相からシンボルを復号し、これを復調されたリンク情報１２１、１２２として出力する。
【００９１】
≪尚書き≫
上記各実施形態では、メインコンテンツから個別コンテンツにリンクによって移動する例を示したが、個別コンテンツからさらに別の個別コンテンツにリンクによって移動させるようにしてもよい。このような構成も本願発明の技術的範囲に含まれる。
【００９２】
また、上記実施形態では、メインコンテンツ中のリンク情報として個別コンテンツの所在位置を示す情報を書き込んでいるが、コンテンツと別の場所に個別コンテンツの所在位置を示す情報を記憶しておき、メインコンテンツ中のリンク情報で、その所在位置を示す情報を指定するようにしてもよい。上述した、リンク情報としてコンテンツＩＤを埋め込み、ＩＤ解決サーバ経由でＵＲＬを取得する方式はその一例である。
【００９３】
上記各実施形態では、記憶部１１に記憶されているオーディオファイルを読み出すことで音声コンテンツを再生しているが、外部から入力される信号に基づいて音声コンテンツを再生する構成であってもよい。
【００９４】
また、上記各実施形態では、音声再生部１２が音声コンテンツを再生し、再生された音声コンテンツをデジタルオーディオデータストリームとして重畳データデコード部１３に入力しているが、音声収音部を設け、媒質（空気）を振動として伝搬した音声信号を収音して重畳データデコード部１３に入力してもよい。また、オーディオケーブルを用いて外部機器から第１コンテンツを入力するようにしてもよい。以上の構成も本願発明の技術的範囲である。
【００９５】
さらに、本発明では、第１のコンテンツ（メインコンテンツ）は、音声信号（オーディオ信号またはオーディオファイル）であるが、この音声信号に映像が伴っていてもよい。すなわち、上記各実施形態において、メインコンテンツが映像コンテンツのオーディオトラックである場合も本願発明の技術的範囲に含まれる。メインコンテンツが映像コンテンツのオーディオトラックである場合、図７の実施形態では、音声記憶部１１と映像記憶部１７を共通化することも可能である。
【符号の説明】
【００９６】
１  音声再生装置
１０  制御部
１１  記憶部
１２  音声再生部
１３  重畳データデコード部
１００  音声コンテンツ
１０１  メインコンテンツ（インデックスコンテンツ）
１０２，１０３  個別コンテンツ
１１０  コンテンツ本体部
１１１，１１２  キーワード
１２０  リンク情報部
１２１，１２２  リンク情報
【図１】
2010072641.tif 000003
【図２】
2010072641.tif 000004
【図３】
2010072641.tif 000005
【図４】
2010072641.tif 000006
【図５】
2010072641.tif 000007
【図６】
2010072641.tif 000008
【図７】
2010072641.tif 000009
【図８】
2010072641.tif 000010
【図９】
2010072641.tif 000011
【図１０】
2010072641.tif 000012
【図１１】
2010072641.tif 000013
【図１２】
2010072641.tif 000014
【図１３】
2010072641.tif 000015